(57)【要約】【課題】  海上の波が高い場合などにおいても容易にダイバー等を発見でき、携帯にも便利な救命具を提供する。【解決手段】  伸縮可能な支柱２と、支柱２の上端部に装着された旗体３と、レーダ電波を反射する材料で形成され、旗体３に固着された翻片４と、支柱２の下端部に装着された錘５と、錘５の上方において、支柱２に装着された浮体６とを備える救命具１。支柱２を伸長させると、支柱２の上端部に装着した旗体３が風によって翻り、翻片４も翻ってレーダ電波を反射する。支柱２を、複数の入れ子式の中空ポールで構成し、中空ポールの内部に導入された空気によって伸長可能とし、空気ボンベを利用して支柱２を伸長できる。翻片４を平面矩形状に形成し、支柱２から遠い方の端部４ｂが旗体３の表面に固着すると、旗体３が風で翻ったときに、翻片４が旗体３の表面に対して垂直方向に翻り、よりレーダ電波を反射し易くなる。【選択図】  図１
2005306260.tif 000002
【特許請求の範囲】
【請求項１】
伸縮可能な支柱と、
該支柱の上端部に装着された旗体と、
レーダ電波を反射する材料で形成され、前記旗体に固着された翻片と、
前記支柱の下端部に装着された錘と、
該錘の上方において、前記支柱に装着された浮体とを備えることを特徴とする救命具。
【請求項２】
前記支柱は、複数の入れ子式の中空ポールを備え、該中空ポールの内部に導入された空気によって伸長可能であることを特徴とする請求項１に記載の救命具。
【請求項３】
前記翻片は、平面矩形状に形成され、前記支柱から遠い方の端部が前記旗体の表面に固着されることを特徴とする請求項１または２に記載の救命具。
【発明の詳細な説明】
【技術分野】
【０００１】
本発明は、救命具に関し、特に、ダイバーや釣り人等が救援を求める場合に、母船等から発見され易いようにした救命具に関する。
【背景技術】
【０００２】
従来、海中から浮上したダイバーや、海面等に転落した釣り人等を母船上から発見するには、船員や救助者の視認に頼っていた。しかし、海上に浮上したダイバー等を母船上からの視認によって発見するのは容易ではなく、母船への引き上げが遅れてダイバー等が長時間海上を漂流したり、最悪の事態を招くおそれもある。
【０００３】
そこで、海上に浮上したダイバー等を視認ではなく、レーダを利用して発見することも考えられ、例えば、特許文献１には、レーダ反射での発見を容易にするとともに、コンパクトで収納性に優れた救命具として、金属箔転写布帛または金属箔蒸着フイルムの少なくとも一方を基材とし、基材表面に凹凸加工が施されたものが提案されている。
【０００４】
また、本出願人は、レーダ電波に対する反射率を向上させ、浮揚体を浮揚させたダイバーや遭難者等をレーダによって容易に発見し得るように、空気より軽いガスを充填したときに、その外面が略々平面の組合わせとなる浮揚体本体を備えた所在位置表示用浮遊体を提案した（特許文献２参照）。
【０００５】
【特許文献１】特開平８−２９９４８２号公報
【特許文献２】特開２００２−２００１８４号公報
【発明の開示】
【発明が解決しようとする課題】
【０００６】
しかし、上述の救命具等を利用した場合でも、海面の広さに比べてダイバー等自身は極めて小さいばかりでなく、海上の波が高い時には、海面や、海面上の波でレーダ電波が反射してしまい、ダイバー等をレーダで捉えることは容易ではないという問題があった。
【０００７】
そこで、本発明は、上記従来の救命具等における問題点に鑑みてなされたものであって、海上の波が高い場合などにおいても容易にダイバー等を発見することができ、携帯にも便利な救命具を提供することを目的とする。
【課題を解決するための手段】
【０００８】
上記目的を達成するため、本発明は、救命具であって、伸縮可能な支柱と、該支柱の上端部に装着された旗体と、レーダ電波を反射する材料で形成され、前記旗体に固着された翻片と、前記支柱の下端部に装着された錘と、該錘の上方において、前記支柱に装着された浮体とを備えることを特徴とする。
【０００９】
そして、本発明によれば、ダイバー等が救援を求める際には、支柱を伸長させることにより、支柱の上端部に装着した旗体が風によって翻り、これに伴って、レーダ電波を反射する材料で形成された翻片が翻るため、レーダ電波を反射し易くなり、海上の波が高い場合などにおいてもレーダを介してダイバー等を発見し易くなる。また、前記支柱の下端部に装着された錘と浮体とで、救命具全体を海上等に安定した状態に維持することができる。さらに、支柱が伸縮可能に形成されているため、携帯にも便利である。
【００１０】
前記救命具において、前記支柱を、複数の入れ子式の中空ポールを備えるように構成し、該中空ポールの内部に導入された空気によって伸長可能とすることができる。これによって、海上においても、空気ボンベ等を利用して容易に支柱を伸長させることができる。
【００１１】
前記救命具において、前記翻片を平面矩形状に形成し、前記支柱から遠い方の端部を前記旗体の表面に固着することができる。これによって、旗体が風で翻ったときに、翻片が旗体の表面に対して垂直方向に翻るため、よりレーダ電波を反射し易くなり、レーダによる発見をより容易に行うことができる。
【発明の効果】
【００１２】
本発明によれば、海上の波が高い場合などにおいても容易にダイバー等を発見することができ、携帯にも便利な救命具を提供することができる。
【発明を実施するための最良の形態】
【００１３】
図１は、本発明にかかる救命具の一実施の形態を示し、この救命具１は、大別して、伸縮可能な支柱２と、支柱２の上端部に装着された旗体３と、レーダ電波を反射する材料で形成され、旗体３に多数貼着された翻片４と、支柱２の下端部に装着された錘５と、錘５の上方において、支柱２に装着された浮体６とで構成される。
【００１４】
支柱２は、複数の中空ポールによって釣用の振り出し竿状に入れ子式に伸縮可能に形成され、伸長した状態の全体の長さが５ｍ程度となるように構成される。支柱２の下部は、浮体６に挿入された状態で浮体６及び錘５と一体化される。最下部のポール２ａには、空気取入口２ｂが設けられ、この空気取入口２ｂから支柱２の内部に導入された空気によって支柱２を伸長することができる。空気取入口２ｂから支柱２内に空気を充填するにあたっては、空気ボンベ等を利用することができ、空気取入口２ｂに開閉可能な栓を有する空気ボンベとの結合部材が設けられる。
【００１５】
支柱２の最上部のポール２ｃには、旗体３が装着される。旗体３は、厚手のナイロン、ポリプロピレン等のプラスチック織物等の防水性、撥水性を有する材料で形成され、縦５０ｃｍ、横７０ｃｍ程度の寸法を有する。この旗体３は、図２に示すように、一方の側端部が補強のために折り返され、折り返し部３ａを穿孔して鳩目３ｂによって孔部３ｃが形成される。図１に示した旗体３の孔部３ａにリング７を挿通させ、リング７の中を支柱２の最上部のポール２ｃが挿通することにより、旗体３が支柱２に装着される。ポール２ｃの最上部において旗体３の隅部が紐９等で固着されるとともに、支柱２に近接する他方の隅部に錘３ｄが固着され、支柱２を伸長したときに、旗体３が風でたくし上げられないように構成される。
【００１６】
旗体３の表面には、多数の翻片４が貼着される。この翻片４は、図３に示すように、帯状に形成され、レーダ電波を反射する反射部４ａと、旗体３への固定部４ｂからなる。反射部４ａは、レーダ電波を反射することのできる材料、例えば、金属箔を蒸着または接着した布帛、プラスチックシート、金属箔を布帛やプラスチックシートと積層したシート状の積層体等を用いることができる。翻片４の表面には、エンボス加工やキルティング加工等で適当な大きさの凹凸を形成してもよく、凹凸によってレーダ電波が反射し易くなる。この凹凸の大きさ・深さ等は、レーダ電波の波長や反射したレーダ電波の広がりなどを考慮して最適な値に設定することができる。また、反射部４ａに着色すると、視認により発見し易くなるため、好ましい。固定部４ｂは、図２（ｂ）に示されるように縫着線材８によって旗体３に縫着される。尚、固定部４ｂを接着材等で旗体３に固着することも可能である。
【００１７】
支柱２の下端部には、錘５が装着される。錘５は、袋体５ａの内部に砂５ｂを充填して形成され、全体重量が１．５ｋｇ乃至２ｋｇ程度に設定される。
【００１８】
錘５の上方には、錘５と一体的に浮体６が設けられる。この浮体６は、ナイロン、ポリプロピレン等のプラスチック織物等で形成され、中心部を支柱２が貫通するように、袋状に形成される。浮体６の上部６ａは大径に、下部６ｂは支柱２の外径より若干大径に形成される。浮体６には、浮体６内に空気を導入するための空気取入部６ｃが取り付けられ、空気取入部６ｃを介してボンベ等から空気を供給して浮体６を膨張させることができる。また、ダイバー等が口から空気を導入して浮体６を膨らませることもできる。
【００１９】
次に、上記構成を有する救命具の使用方法について、図面を参照しながら詳細に説明する。
【００２０】
ダイバー等は、旗体３を畳んで、支柱２を縮めた状態で、かつ浮体６に空気を導入しない収縮させた状態で救命具１を体の一部に装着し、ダイビング等を行う。また、釣り人であれば、上述の状態の救命具１を体に取り付けた状態で船上等で釣りを行う。
【００２１】
海中から浮上したダイバー等が母船から離れてしまい、母船上から自らが視認されるのが困難になっていると判断した場合には、救命具１を体から取り外し、浮体６の空気取入部６ｃを介してボンベから空気を浮体６内に導入し、浮体６を膨らませる。尚、空気取入部６ｃに自分の口から空気を供給して浮体６を膨らませてもよい。
【００２２】
次に、支柱２の空気取入口２ｂから支柱２の内部にボンベ等から空気を導入し、支柱２を伸長させる。これによって、支柱２の最上部に取り付けられた旗体３が風によって翻る。ここで、浮体６の上端部から支柱２の先端までは４ｍ程度とかなりの高さとなるが、浮体６の下方に装着された錘５によって、浮体６の上端部から下方１ｍ近くが海中に没するため、救命具１を海上に安定した状態に維持することができる。
【００２３】
このようにして救命具１を海上に浮遊させると、浮体６の上方４ｍ程度の高さに旗体３に貼着された多数の翻片４を翻らせることができるため、海上の波が高い場合などにおいてもレーダ電波を反射し易く、容易にダイバー等を発見することができる。また、旗体３に貼着された多数の翻片４は、図２（ｃ）に示すように、風によって矢印方向に翻るため、レーダ電波を反射し易くなり、レーダによる発見がより容易となる。また、翻片４に着色しておけば、ダイバー等に接近した母船から視認によって発見され易くなる。
【図面の簡単な説明】
【００２４】
【図１】本発明にかかる救命具の一実施の形態を示す概略斜視図である。
【図２】図１の救命具の旗体を示す図であって、（ａ）は一部破断正面図、（ｂ）は一部破断上面図、（ｃ）は翻片が風によって翻っている状態を示す一部破断上面図である。
【図３】図２の旗体に貼着される翻片を示す平面図である。
【符号の説明】
【００２５】
１      救命具
２      支柱
２ａ    最下部のポール
２ｂ    空気取入口
２ｃ    最上部のポール
３      旗体
３ａ    折り返し部
３ｂ    鳩目
３ｃ    孔部
３ｄ    錘
４      翻片
４ａ    反射部
４ｂ    固定部
５      錘
５ａ    袋体
５ｂ    砂
６      浮体
６ａ    上部
６ｂ    下部
７      リング
８      縫着線材
９      紐
【図１】
2005306260.tif 000003
【図２】
2005306260.tif 000004
【図３】
2005306260.tif 000005